(57)【要約】（ｉ）第１ボディーに配置され、信号変調送信回路（１４）と結合したエンコーダー（１３）を含む送信ユニット（１０）；および、（ｉｉ）第２ボディーに配置され、デコーダー（２３）と結合した信号受信復調回路（２４）を含む受信ユニット（２０）；を備える電子離間警報システムであって、エンコーダー（１３）および信号変調送信回路（１４）は、キャリア波に関連する識別コードを生成し及び送信し、識別コードは、受信復調回路（２４）により受信され、さらに第１ボディーと第２ボディーとが離れて識別コードを受信しなくなると、トリガー回路（２７）を作動させるデコーダー（２３）により認識され、エンコーダー（１３）は、異なる時間に送受信し、送信ユニット（１０）と受信ユニット（２０）との間の位相を同期させ、複数の異なる発生周波数と組み合わせ可能な複数の識別コードを生成することを特徴とし、また、送信ユニット（１０）と受信ユニット（２０）との間の位相同期を生成する処理であって、Ａ）送信ユニット（１０）および受信ユニット（２０）を互いに接続し、近接して配置するステップと；Ｂ）所定期間キー（ＣＨ１）を閉じるステップと；Ｃ）メモリ回路（２５）を作動させるステップと；Ｄ）キー（ＣＨ１）を開くステップと、を備えることを特徴とする。
2006508433.tif 000002
【特許請求の範囲】
【請求項１】
（ｉ）  第１ボディーに位置決めされ、信号変調送信回路（１４）と結合したエンコーダー（１３）を含む送信ユニット（１０）；および、
（ｉｉ）  第２ボディーに位置決めされ、デコーダー（２３）と結合した信号受信復調回路（２４）を含む受信ユニット（２０）；を備え、
エンコーダー（１３）および信号変調送信回路（１４）は、キャリア波に関連する識別コードを生成し及び送信し、識別コードは、受信復調回路（２４）により受信され、さらに第１ボディーが第２ボディーから離れて識別コードを受信しなくなると、トリガー回路（２７）を作動させるデコーダー（２３）により認識され、エンコーダー（１３）が、異なる時間に送受信され、送信ユニット（１０）と受信ユニット（２０）との間で位相同期される、複数の異なる生成周波数で組み合わせ可能な複数の識別コードを生成する、ことを特徴とする電子離間警報システム。
【請求項２】
前記エンコーダー（１３）が、シリアル識別コードを生成する手段が設けられた集積回路（ＣＩ１３）を含むことを特徴とする、請求項１に記載のシステム。
【請求項３】
前記識別コードを生成する手段が、有効にされた論理ポートの複数の組み合わせを含むことを特徴とする、請求項２に記載のシステム。
【請求項４】
有効にされた論理ポートの各組み合わせにおいて、異なるシリアル識別コードが決定された周波数で生成されることを特徴とする、請求項３に記載のシステム。
【請求項５】
前記信号変調送信回路（１４）が、水晶発振器（Ｃ１００）に結合した集積回路（ＣＩ１４）を含むことを特徴とする、請求項１に記載のシステム。
【請求項６】
前記信号変調送信回路（１４）が、識別コードをキャリア波に変調し、自由な周波数でそれを送信することを特徴とする、請求項５に記載のシステム。
【請求項７】
前記キャリア波が４３４ＭＨｚの周波数で送信されることを特徴とする、請求項６に記載のシステム。
【請求項８】
前記キャリア波が無線周波数で送信されることを特徴とする、請求項７に記載のシステム。
【請求項９】
前記送信ユニット（１０）が電源（１１）に結合した第１制御回路（１２）を含むことを特徴とする、請求項１に記載のシステム。
【請求項１０】
前記制御回路（１２）が、１秒につき１５ｍｓの間識別コードを送信する、信号変調送信回路（１４）を作動させることを特徴とする、請求項９に記載のシステム。
【請求項１１】
前記電源（１１）が公称電圧３Ｖのバッテリーであることを特徴とする、請求項９に記載のシステム。
【請求項１２】
前記受信復調回路（２４）が、変調送信回路（１４）と同じ周波数で動作する集積回路（ＣＩ２４）を含むことを特徴とする、請求項１に記載のシステム。
【請求項１３】
前記受信復調回路（２４）が、送信ユニット（１０）により送信されたデータを受信し、キャリア波から識別コードを濾過することを特徴とする、請求項１２に記載のシステム。
【請求項１４】
前記デコーダー（２３）が、送信ユニット（１０）のエンコーダー（１３）の集積回路（ＣＩ１３）と互換性のある集積回路（ＣＩ２３）を含むことを特徴とする、請求項１に記載のシステム。
【請求項１５】
前記デコーダー（２３）が、送信ユニット（１０）により送信された識別コードの存在を識別し、認識し、ポジティブ論理レベルの出力信号を生成することを特徴とする、請求項１４に記載のシステム。
【請求項１６】
前記デコーダー（２３）が、送信ユニット（１０）により送信された識別コードの不在を識別し、非認識し、ヌル論理レベルの出力信号を生成することを特徴とする、請求項１４に記載のシステム。
【請求項１７】
前記デコーダー（２３）の出力で得られた信号が、警報トリガー回路（２７）に結合したコンパレーター（２６）へ伝達されることを特徴とする、請求項１５または請求項１６に記載のシステム。
【請求項１８】
前記コンパレーター（２６）が、第１制御電圧（ΔＶ）と第２可変電圧との間の分離手段を含むことを特徴とする、請求項１７に記載のシステム。
【請求項１９】
比較手段が、平均抵抗値が提供された第１抵抗（Ｒ１６）に結合したオペアンプ（Ａ２６）を含む電子回路（２６）、第１抵抗（Ｒ１６）より大きな抵抗値が提供される第２抵抗（Ｒ２６）、制御電圧（ΔＶ）から計算された抵抗値が提供される第３抵抗（Ｒ３６）、コンデンサー（Ｃ２６）、およびダイオード（Ｄ２６）に対応していることを特徴とする、請求項１８に記載のシステム。
【請求項２０】
前記デコーダー（２３）の出力におけるポジティブ信号がコンデンサー（Ｃ２６）を充電し、さらに、コンパレーター（２６）が受けた第２可変電圧が制御電圧（ΔＶ）より大きいことを特徴とする、請求項１９に記載のシステム。
【請求項２１】
前記コンデンサー（Ｃ２６）が、デコーダー（２３）により発生される第１電位差を用いて、第１抵抗（１６）により充電されることを特徴とする、請求項２０に記載のシステム。
【請求項２２】
前記デコーダー（２３）の出力におけるヌル信号が、コンデンサー（Ｃ２６）を放電させ、さらに、コンパレーター（２６）により受け取られた第２可変電圧が制御電圧（ΔＶ）より小さいことを特徴とする、請求項１９に記載のシステム。
【請求項２３】
前記コンデンサー（Ｃ２６）が、抵抗（Ｒ２６）を用いて放電されることを特徴とする、請求項２２に記載のシステム。
【請求項２４】
前記第２可変電圧が制御電圧（ΔＶ）より小さいときに、コンパレーター（２６）が警報トリガー回路（２７）を作動させることを特徴とする、請求項２３に記載のシステム。
【請求項２５】
前記受信ユニット（２０）が、電源（２１）に結合した第２制御回路（２２）を含むことを特徴とする、請求項１に記載のシステム。
【請求項２６】
前記制御回路（２２）が、１秒につき１０ｍｓの間、識別コードを受信する、信号受信復調回路（２４）を作動させることを特徴とする、請求項２５に記載のシステム。
【請求項２７】
前記電源（２１）が公称電圧１２Ｖのバッテリーであることを特徴とする、請求項２５に記載のシステム。
【請求項２８】
前記受信ユニット（２０）が、キー（ＣＨ１）を用いてデコーダー（２３）に結合される、かつ制御回路（２２）に結合されたメモリ回路（２５）を含むことを特徴とする、請求項１に記載のシステム。
【請求項２９】
前記メモリ回路（２５）の作動が、送信ユニット（１０）と受信ユニット（２０）との間に位相同期を提供することを特徴とする、請求項２８に記載のシステム。
【請求項３０】
請求項１−２８で規定される電子離間警報システムの送信ユニット（１０）と受信ユニット（２０）との間に位相同期を生成する処理であって：
Ａ）  送信ユニット（１０）と受信ユニット（２０）を互いに接続し且つ近接して配置するステップと；
Ｂ）  所定期間キー（ＣＨ１）を閉じるステップと；
Ｃ）  メモリ回路（２５）を作動させるステップと；
Ｄ）  キー（ＣＨ１）を開くステップと、
を備えることを特徴とする処理。
【請求項３１】
前記ステップＢで、キー（ＣＨ１）を実質的に３秒に等しい時間閉じ続けられていることを特徴とする、請求項３０に記載の処理。
【請求項３２】
前記キー（ＣＨ１）を閉じるステップで、送信ユニット（１０）により送信された少なくとも１つの識別コードが、信号受信復調回路（２４）を用いて受信ユニット（２０）により受信され、ポジティブ出力信号を生成するデコーダー（２３）により認識されることを特徴とする、請求項３１に記載の処理。
【請求項３３】
前記ステップＢで、デコーダー（２３）により生成されるポジティブ信号が、メモリ回路（２５）を作動させるステップＣを開始させることを特徴とする、請求項３２に記載の処理。
【請求項３４】
前記ステップＣの間に、メモリ回路（２５）が、デコーダー（２３）により生成されるポジティブ信号を格納して、第２制御回路（２２）を作動させることを特徴とする、請求項３３に記載の処理。
【請求項３５】
前記第２制御回路（２２）が、第１制御回路（１２）と同期して動作することを特徴とする、請求項３４に記載の処理。
【発明の詳細な説明】
【発明の詳細な説明】
【０００１】
本発明は、送信ユニットとこれと統合する受信ユニットとの間の、設定され予め確立された距離が、確立され且つ初期にプログラムされた最大限度を超えるときはいつでも、音響的、視覚的および／または高感度の警報を発することができる電子システムに関し、更に、送信ユニットと受信ユニットとの間の位相同期を生成する処理に関するものである。
（背景技術）
【０００２】
無線周波数で送出される信号を送信し及び受信する、少なくとも送信要素および受信要素が設けられた警告および警報装置は、従来技術から知られている。これらの装置の多くは、送信機と受信機との間の信号のやり取りに中断または障害の賦課がある場合は、いつでも警報を始動させる。こうした装置は、多くは乗り物の保護に使われている。しかしながら、他の装置は、送信機と受信機との間の距離が、設定され予め確立された最大限度を超えるときはいつでも警報を発する。このタイプの警報装置は、送信要素をユーザが所持できる一方、受信要素は、ハンドバッグ、ビジネスバッグ、他の個人または乗り物にさえ、近接して位置させられるように用いられている。その機能は、受信要素を有する物または個人が予め決められた距離の限度を超えると、ユーザに対して警報を発することである。このように、この装置は、個人的な忘れ物に対し、予想される窃盗をユーザに警報するものである。
【０００３】
英国特許第１,５２０,１９６号公報および英国特許第２,０７１,９５６号公報は、信号送信要素および信号受信要素を含み、これらの要素間の距離が予め決められた最大距離より大きくなると、受信機が、音響または視覚による警報を発するようプログラムされた電子警報装置に言及している。しかしながら、これらの装置は、送信機と受信機との間の距離の連続したモニターを提供するよう、絶え間なくオンの状態にしておかねばならず、エネルギーの過剰消費を伴い、製品自体の利用を著しく制限してしまうので、これらの装置の機能面の範囲について問題を提示している。これらの装置に見られる他の利点は、同時に使用される設備の２つ以上の独立した機器間の干渉の問題である。この問題は、単に他方の装置へ近づけるだけで不必要に始動することになるので、機器の大量生産を阻害する。すなわち、これらの装置は、送信および受信周波数の変化を除いては、異なる装置間で交換される信号を識別するいかなる手段も有しないため、ある機器からの信号が第２の機器に干渉することになる。
【０００４】
米国特許第４,２６０,９８２号明細書は、信号送信要素と信号受信要素が所定の最大限度を超えると警報を発する、パルス変調によりトリガーされる警報システムを開示している。記載されているシステムは、他の同様のシステムとの干渉問題を克服するために、コード化された信号の送出を提示しているが、このコード化は、生産される機器の構成要素のすべてに対して同じである。従って、ここに記載されたシステムは、数個の異なるシステムの送信機により送出される信号周波数が様々であるので、干渉の問題に戻らないよう、受信機には周波数調整回路が備えられている必要がある。
【０００５】
さらに、このシステムでは、機器を短時間使用してもエネルギー消費が高いという、問題が残っており、結果として短距離の範囲となってしまう。
【０００６】
英国特許第２,１１２,６００号公報は、送信要素と受信要素との間の決められた最大距離を超える場合に、常に始動される警報システムに言及しているが、このシステムでは、信号を送受信する送信機および受信機のエネルギー消費が高く、その結果、短距離の範囲での使用となっている。
（発明の目的）
【０００７】
本発明の目的の１つは、送信ユニットと受信ユニットとの間の設定され予め確立された最大距離を超えると常に始動され、低いエネルギー消費をもたらし、長距離の範囲での使用をもたらす、電子離間警報システムを提供することである。
【０００８】
本発明の他の目的は、送信ユニットと受信ユニットとの間の最適な位相同期を提供することであり、さらに、発生した送受信信号にいかなる干渉または混合もなく、１台もしくはそれ以上の装置の使用を可能にすることである。
（発明の概要）
【０００９】
本発明の目的は、以下を含む電子離間警報システムを提供することである。
（ｉ）  第１ボディーに配置され、信号変調送信回路と結合したエンコーダーを含む送信ユニット；および、
（ｉｉ）  第２ボディーに配置され、デコーダーと結合する信号受信復調回路を含む受信ユニット；を備え、エンコーダーおよび信号変調および送信回路は、キャリア波に関連する識別コードを生成し及び送信し、識別コードは、受信復調回路により受信され、さらに第１ボディーと第２ボディーとが離れて識別コードを受信しなくなると、トリガー回路を作動させるデコーダーにより認識され、エンコーダーは、異なる時間に送受信し、送信ユニットと受信ユニットとの間の位相を同期させ、複数の異なる発生周波数と組み合わせ可能な複数の識別コードを生成する、電子離間警報システム。
【００１０】
また、本発明は、電子離間警報システムの送信ユニットと受信ユニットとの間の位相同期を生成する処理に関連している。この処理は、以下のステップを含む：
Ａ）  送信ユニットおよび受信ユニットを互いに接続し近接して配置するステップ；
Ｂ）  所定の期間キーを閉じるステップ；
Ｃ）  メモリ回路を作動させるステップ；および、
Ｄ）  キーを開くステップ。
（発明の詳細な説明）
【００１１】
ここで、本発明は、図面に表された実施例を参照して、より詳細に説明される。
【００１２】
好適な実施例に従って、および図１ならびに図２に見られるように、本発明の電子離間警報システムは、送信ユニット１０と受信ユニット２０とを備えている。
【００１３】
図１および図３に示すように、送信ユニット１０は、例えば、３Ｖの公称電圧および２２５ｍＡｈの平均機能性容量を有し第１制御回路１２に給電するＣＲ２０３２タイプのＬｉ／ＭｎＯ２バッテリーのなどの第１電源１１を備えている。
【００１４】
制御回路１２は、警報システムがオンのままの状態で、非対称方形波を生成し送信ユニット１０をオンに維持する機能を有している。それは、２つの抵抗Ｒ２８及びＲ２９とコンデンサーＣ１２に接続された操作可能な極小電力オペアンプＡ１２により形成される。抵抗Ｒ２８及びＲ２９は、直列に接続され入力電圧のディバイダーとして機能する。このように、アンプＡ１２の正極は固定の１．５Ｖの電圧を供給されるが、反転（負）極は可変電圧が供給される。
【００１５】
この可変電圧が１．５Ｖより低い電圧に相当する場合には、アンプＡ１２の出力のロジックレベルは１（いち）に等しくなり、コンデンサーＣ１２は、ダイオードＤ７および抵抗Ｒ２６をリフィーディングすることにより充電される。しかしながら、反転極での電圧が１．５Ｖより高いときは、アンプ１２の出力のロジックレベルは０（ゼロ）に等しくなり、コンデンサーＣ１２は抵抗Ｒ２７を通して放電される。こうして、制御回路１２は、非対称方形波を発生させる発振器として動作する。
【００１６】
この制御回路１２は、警報システムが機能する期間ずっとオンの状態のままであるが、そのエネルギー消費はおよそ１０μＡであり、バッテリーの使用寿命は何千時間のオーダーとなる。
【００１７】
方形波が発生すると、それは制御回路１２と結合したエンコーダー１３に直ちに伝送される。
【００１８】
エンコーダー１３は、それが１４５０２６モデルであるなら、例えば、コード設定のための９つのポートを有する場合もある３つの部分からなる集積回路ＣＩ１３を備えている。警報システムを組み立てるとき、この集積回路ＣＩ１３のいくつかのポートが選択され、所定のシリアル識別コードが生成され且つ有効にされる。これは、同一の識別コードを生成している間は、この警報システムが機能することを意味する。
【００１９】
第２警報システムを組み立てるときは、有効にされたポートの他の組み合わせが選択されることになり、第１のものと異なる新しい識別コードの生成が提供される。第３警報システムを組み立てるときも、有効にされたポートの新しい組み合わせがつくられ、以下同様となる。
【００２０】
集積回路ＣＩ１３の有効にされたポートの新しい各組み合わせで異なる識別コードが形成されるので、例として引用した集積回路ＣＩ１３のモデルが、３９の異なる識別コードを生成可能であることを考慮するなら、偶然識別コードが一致したために、様々な警報システムが同時に機能するうちに干渉が発生してしまう確率は非常に小さくなる。また、さらに多数の異なる識別コードの生成が可能な他のモデルの集積回路ＣＩ１３の利用も予想される。
【００２１】
識別コードは、決まった持続時間を有するパルス列をもたらす、決まった発生周波数で生成されるパルス列に対応している。コードと同じく、この周波数もシステムにより異なることが可能であり、干渉発生の確率をさらに減少させる。例えば、ある警報システムが、常に１ＫＨｚに等しい周波数で生成された所定の識別コードで動作する。このシステムが、第１のものと同じ識別コードで動作する他のシステムと同一の環境にあるけれども、２ＫＨｚに等しい周波数で生成されるならば、これら２つのシステム間では、たとえコードが同一であっても何の干渉も起こらないことになる。上で例示した２つの場合、これは、参照されるパルス列が異なる持続時間を有することになるので、それらの個々の受信ユニット２０は、自らの設定された周波数での、自らの設定された識別コードで動作するよう調整されているためである。
【００２２】
識別コードが生成されると、識別コードは、ＰＬＬ送信機１４と呼ばれる信号変調送信回路１４に直ちに伝送される。
【００２３】
ＰＬＬ（位相ロックループ）送信機１４は、低パワーの完全統合型ＵＨＦ送信機である。この機能は、無線周波数（ＲＦ）により信号を変調し、および送信することである。これは集積回路Ｃ１４により形成される；したがって、これはサイズが小さく、送信ユニット１０のスペースを最適化し、干渉の発生を減少させる。これは低価格であり、そのため、これは、警報システムの大量生産で利用されることになる。
【００２４】
ＰＬＬ送信機１４は、他の送信部品に接続された変調要素により形成された従来の回路と比べると、利点を有している。集積回路ＣＩ１４が、キャリア波の送信周波数（ｆＲ ＦＯＵＴ）を選択する機能を有するＢＡＮＤピンを備えているので、第１の利点は、キャリア波の送信にある。これは、このＢＡＮＤピンに、０Ｖ（ゼロボルト）とＶＣＣ、すなわち３Ｖ、との間の電圧を供給する、電圧レベルの変更により行われる。
【００２５】
したがって、ＰＬＬ送信機１４の出力周波数は、以下の式により決定されることになる：
ｆＲＦｏｕｔ＝ｆｃｒｙｓｔａｌ×ｄｉｖｉｄｅｒ
ここで、ｆｃｒｙｓｔａｌは、９．８４ＭＨｚまたは１３．５６ＭＨｚの水晶発振器Ｇ１００（図３）の周波数に相当している。この水晶発振器Ｃ１００は、ＮＤＫ  ＮＸ１２５５ＧＡタイプ、またはＮＤＫ  ＮＸ８０４５ＧＢタイプ、ＳＭＤパッケージ、または他の互換性のあるタイプであってもよい。ｄｉｖｉｄｅｒは、ＢＡＮＤピンに印加された電圧がＶＣＣまたは３Ｖに等しい場合には３２倍の、またはＢＡＮＤピンに印加された電圧がゼロに等しい場合には６４倍の出力周波数の増加に相当している。
【００２６】
したがって、上に引用した式を考慮し、ＢＡＮＤピンの入力電圧としてレベル１（３Ｖ）を選択すると、キャリア波用出力周波数のオプションは、以下の通りである：
ａ）  １３．５６ＭＨｚの水晶を使用する場合に、ｔＲＦｏｕｔ＝１３．５６ＭＨｚ×３２＝４３４ＭＨｚ−＞；および、
ｂ）  ９．８４ＭＨｚを使用する場合に、ｆＲＦｏｕｔ＝９．８４ＭＨｚ×３２＝３１５ＭＨｚ−＞。
他方、ＢＡＮＤピンの入力電圧としてレベル０（０Ｖ）を選択すると、キャリア波用出力周波数のオプションは、以下のとおりである：
ｃ）  ｆＲ ＦＯＵＴ＝１３．５６ＭＨｚ×６４＝８６８ＭＨｚ。
【００２７】
したがって、ＢＡＮＤピンに印加された電圧値の関数では、水晶Ｃ１００発振器の周波数が、３２倍または６４倍されることは明確である。
【００２８】
従来技術で見られるシステムと異なり、本発明の距離警報システムにより選択される使用周波数は、アマチュア無線帯域内の自由な周波数であるので、４３４ＭＨｚである。
【００２９】
ＰＬＬ送信機１４の第２の利点は、信号の変調に関連している。集積回路ＣＩ１４は、ＯＯＫ（オン／オフキーイング）またはＦＳＫ（周波数偏移キーイング）のいずれであってもよいが、データ変調タイプを選択する機能を備えたＭＯＤＥピンを有している。
【００３０】
さらに、ＰＬＬ送信機１４の第３の利点は、待ち状態または機能状態になり得る、ＰＬＬの状態を制御する、集積回路ＣＩ１４のＥＮＡＢＬＥピンの存在にある。待ち状態では、バッテリーの消費量は最小となり、いかなるデータも変調され、または送信されることはない。
【００３１】
ＥＮＡＢＬＥピンにより、制御回路１２は、ＰＬＬ送信機１４を、１秒の合計時間内に、９８５ｍｓ（ミリセカンド）の間は待ち状態に、１５ｍｓは機能状態に維持する。電源１１のエネルギーの消費量は非常に低いので、本警報システムは、他の同様の電子システムより遥かに長いレンジにわたって使用できることになる。
【００３２】
さらにＰＬＬ送信機１４について述べれば、信号送信ステップには、ＬＣ回路が存在し、アンテナと同等の機能を有するが、送信ユニット１０のサイズを減少させることが可能となる。
【００３３】
いったん送信ユニット１０により送信されると、信号は、受信ユニット２０により受信される。
【００３４】
図２および図４に示したように、受信ユニット２０は、第２制御回路２２、フリップフロップチップ２５のメモリ回路、コンパレーター２６、警報トリガー回路２７、デコーダー２３、および信号受信復調回路２４に直接給電する、第２電源２１を含んでいる。第２電源は、例えば公称電圧１２Ｖのバッテリーであってもよい。
【００３５】
第２制御回路２２は、ＰＬＬレセプター２４と呼ばれる信号受信復調回路２４、およびデコーダー２３を制御する。この制御回路２２は、オペアンプＡ２２により形成されている。その機能は、既に説明した第１制御回路１２の機能と同じである。
【００３６】
信号は、送信ユニット１０に配置されたＰＬＬ送信機１４と互換性があるＰＬＬレセプター２４により受信される。
【００３７】
ＰＬＬ送信機１４と同じく、ＰＬＬ受信機２４も、ＰＬＬ送信機の集積回路ＣＩ１４と等価で、相補的な集積回路ＣＩ２４を含んでいるが、それは、２つの機能を単一要素に凝集したものであり、言わば、信号受信復調またはフィルター機能を有している。このように、ＰＬＬ受信機２４は、ＰＬＬ送信機１４と同じ周波数で動作するように調整された信号受信システムを使い、送信された信号を受信し、その復調システムの調整に従って、ＯＯＫモードまたはＦＳＫモードで受信された信号をフィルター処理する。
【００３８】
集積回路ＣＩ２４には、とりわけ、待ち状態と機能状態とであり得るＰＬＬ受信機２４の状態を制御する、ＥＮＡＢＬＥピンが提供される。このように、第２制御回路２２は、ＥＮＡＢＬＥピンを用いて、ＰＬＬ受信機２４を１秒の合計時間に１０ｍｓ（ミリセカンド）のみ機能するように保っている。受信ユニットの場合も、電源２１のエネルギー消費量が非常に低いので、警報システムは、他の類似した電子装置よりはるかに長いレンジを有することが可能となっている。
【００３９】
いったん信号が受信され、フィルター処理される（復調される）と、信号は、送信ユニット１０のエンコーダー１３により予め決められた識別コードのシーケンスを認識する機能を有する、デコーダー２３に伝達される。この目的のために、デコーダー２３は、エンコーダー１３の集積回路ＣＩ１３と互換性のある集積回路ＣＩ２３に対応しており、予め決定され、かつ送信された識別コードを認識できるように調整されるべきである。
【００４０】
したがって、ＣＩ２３による認識がポジティブであるなら、つまり、識別コードが受信され、さらにそれが予め設定されたものと一致するなら、図５に示したように、正の信号（５Ｖ）がデコーダー２３の出力で得られる。他方、認識がネガティブであるなら、つまり、コードが受信されないなら、または、受信されても正しいコード（ヌル信号）でないなら、デコーダー２３の出力で、例えばロジックレベル０（ゼロ）が得られる。
【００４１】
デコーダー２３の出力で得られた信号は、その後、キーＣＨ１が閉じられている場合には、フリップフロップ２５に伝達され、回路ＲＣによってコンパレーター２６に伝達される。この場合、識別コードが受信され、それが正しいならば、常に、１秒につきおよそ１０ｍｓの間５Ｖのレベルが得られ、残りの時間の出力はゼロのままである。
【００４２】
コンパレーター２６は、第１中間抵抗値抵抗Ｒ１６、第１抵抗Ｒ１６より抵抗値の高い第２抵抗Ｒ２６、および抵抗値が、アンプＡ２６の非反転入力でのΔＶと等しい制御電圧を維持するよう計算されたものとなる第３抵抗Ｒ３６に接続された、オープンメッシュオペアンプＡ２６により形成される。さらにコンパレーター２６の形成には、コンデンサーＣ２６、およびダイオードＤ２６が予想される。
【００４３】
コンパレーター２６の回路は、中間抵抗値抵抗Ｒ１６がコンデンサーＣ２６の急速充電を可能にする一方で、高抵抗値抵抗Ｒ２６がコンデンサーＣ２６の緩やかな放電を可能にするように取り付けられる。ダイオードＤ２６の機能は、抵抗Ｒ１６が抵抗Ｒ２６より小さな抵抗値を有するので、抵抗Ｒ１６により、コンデンサーＣ２６の放電が影響を受けるのを防ぐことである。
【００４４】
このようにして、そして図４および図５に示したように、アンプＡ１６は、その極の１つで制御電圧ΔＶを受け、他の極の入力電圧と比較する。入力電圧は、抵抗Ｒ１６、Ｒ２６およびコンデンサーＣ２６から成る、回路ＲＣからのものである。回路ＲＣに接続されるオペアンプＡ２６の、極の電圧レベルが下降する場合、コンデンサーＣ２６の放電に起因して、その値は、アンプＡ２６の他方の極に供給される電圧ΔＶより低くなり、オペアンプＡ２６の出力でロジックレベル１（５Ｖ）が得られ、その結果、警報トリガー回路２７が作動する。他方、回路ＲＣへ接続されたオペアンプＡ２６の、極の電圧レベルがΔＶほどには低下しない場合、アンプＡ２６の出力でロジックレベル０（ゼロ）が得られ、警報トリガー回路２７は動作しないことになる。
【００４５】
送信ユニット１０が１秒につき１５ｍｓの期間で信号を送信し、受信ユニット２０が１秒につき１０ｍｓの期間で信号を受信することを考慮するなら、離間警報システムを満足に作動させるには、送信ユニット１０および受信ユニット２０は、必然的に位相を同期させて動作しなければならない。
【００４６】
したがって、ユーザが、警報システム、送信ユニット１０、および受信ユニット２０をオンにするときは、常に、以下のステップを有するプロセスによって、これらのユニット間に位相の同期が生成されなければならない：
Ａ）  送信ユニット１０および受信ユニット２０を互いに接続し、かつ近接して配置するステップ；
Ｂ）  所定の期間キーＣＨ１を回すステップ；
Ｃ）  メモリ回路２５を作動させるステップ；
Ｄ）  キーＣＨ１を開くステップ。
【００４７】
受信ユニット２０の第２電源２１がオンになっているとき、それは、図２に示したように、ＰＬＬ受信機２４およびデコーダー２３に直接には供給されない。したがって、第２制御回路２２は、最初に固定ロジックレベル０（ゼロ）である。換言すれば、本願明細書でフリップフロップ回路と呼ばれているメモリ回路２５に起因して、状態を変更しないことになる。
【００４８】
ステップＡの後、受信ユニット上のボタン（図示せず）は、およそ３秒間作動する（押される）ように維持され、キーＣＨ１（図２および図４）も同じ期間閉じられている（ステップＢ）べきである。
【００４９】
このステップＢにより、ＰＬＬ受信機２４およびデコーダー２３が許容され、またはオンにされると、ボタン、および結果的にキーＣＨ１がおよそ３秒間閉じ続けられるときに、ＰＬＬ受信機は送信ユニット１０からの識別コードを伴う信号を少なくとも１回は受信し、この識別コードがフィルタ処理されることになるので、後に、それをデコーダー２３へ送って、そこで最終的に認識されることになる。
【００５０】
デコーダー２３の出力で得られた信号は、フリップフロップ回路２５に伝達され、その信号で出口でのロジックレベルを警報して、制御回路２２を作動させる。このようにして、ステップＣが開始される。
【００５１】
いったんステップＢが完了し、ステップＣが開始されると、送信ユニット１０は、受信ユニット２０との位相同期に入るが、これは、送信ユニット１０が信号を送信するよう動作しているときは常に、受信ユニット２０も、同時に信号を受信するよう動作していることを意味している。
【００５２】
既に言及したように、送信ユニット１０は１秒につき１５ｍｓの期間機能することになり、受信ユニットは１秒につき１０ｍｓの期間機能することになる。
【００５３】
フリップフロップ回路２５は、制御回路２２を機能させ続けるのに必要な、１情報ビットを格納するので、メモリ回路と呼ばれてもよい。
【００５４】
ボタンが解放されるとステップＤが開始される。つまり、キーＣＨ１が自動的に開かれ、フリップフロップ回路および制御回路２２は、他の要素の動作を維持することを管理することになる。フリップフロップ回路２５が既にユニット機能の残余を維持する情報を格納しているため、このボタンの予想される連続作動は、システムに対して何らの影響も与えるものではない。フリップフロップ２５に収納された信号を解除し、または「消す」には、受信ユニット２０のバッテリー２１をオフにすれば十分である。しかしながら、警報システムがオンにされるときは、常に、送信ユニット１０および受信ユニット２０との間の位相同期を生成する処理が反復されるべきである。
【００５５】
いったん警報システムが同期すると、送信ユニット１０は、例えばトラベルバッグなど、第１ボディー上に位置決めされ、受信ユニットは、例えばユーザなど、第１のものと異なる第２ボディー上に位置決めされる。送信ユニット１０は、毎秒、識別コードを伴なう信号を受信ユニット２０へ送信する。識別コードが届き、受信ユニット２０により認識されると、トリガー回路２７は作動されない。ユーザが、そのトラベルバックから、もはや識別コードを受信できない距離だけ遠くへ移動すると、警報トリガー回路２７が作動する。この警報は、聴覚のもの、可視のもの、または、例えば振動など、接触により知覚されるものでもよい。
【００５６】
このため、問題になっているこの電子離間警報システムが満足されるように使用されるには、いくつかの条件が満たされなければならない。すなわち：
ａ）  受信ユニット２０に取り付けられたデコーダー２３により受信された識別コードは、送信ユニット１０により送信されたものと同じものでならねばならず、それにより、後者が前記デコーダー２３によって認識可能となる。既に言及したように、この事実により、接近して使われるような２台以上の警報システムからの信号を混合してしまうのを困難にし、つまり、干渉が発生するのを困難にする。
ｂ）  生成され、送信された識別コードと、受信されデコードされた識別コードの双方は、同一周波数となる。また、（一定となる）キャリア波の周波数の如何にかかわらず、各エンコーダー１３が決定された周波数でコードを生成し、さらに受信ユニット２０がデコーダー２３を通して互換性があるものだけを受信するので、この事実により、干渉を防ぐことに役立つことになる。
ｃ）  送信ユニット１０および受信ユニット２０は、位相が同期していなければならならない。つまり、送信ユニット１０および受信ユニット２０が異なる期間の間（送信ユニット用に毎秒１５ｍｓ、および受信ユニット用に毎秒１０ｍｓ）動作していても、送信動作と受信動作とは同時でなければならず、すなわち、送信ユニット１０が動作して信号を送信しているときは、受信ユニット２０もこれらの信号を受信するために動作していなければならない。これにより、様々な警報システムが、これらのシステムにより送信し、および受信される信号に干渉することなく、同時に使用可能となるという利点について、もたらされることになる。これは、それらのすべてが同じ送受信周波数（キャリア波）で使用されているにもかかわらず、それらの送信ユニット１０および受信ユニット２０が互いに同期しており、同期した信号を送受信するのみである。
ｄ）  送信ユニット１０と受信ユニット２０との間の距離は、信号を送受信する範囲内の機能範囲における最大の予め決められた限度内になければならない。既に言及したように、送信ユニット１０および受信ユニット２０との間の距離が、決められた最大限度を超えると、信号を受信することが全くなくなり、システムの電圧レベルは制御電圧ΔＶより低下し、警報トリガー回路２７が作動することになり、警報が発せられることになる。
【００５７】
説明された好適な実施例は、本発明の範囲が他の可能な変形形態を含んでおり、可能な同等物を含んだ、添付の請求項の内容によってのみ限定されることを理解しなければならない。
【図面の簡単な説明】
【００５８】
【図１】本発明の電子離間警報システムを構成する送信ユニットのブロック図である。
【図２】電子離間警報システムを構成する受信ユニットのブロック図である。
【図３】図１に示した送信ユニットを構成する電子回路図である。
【図４】図２に示した受信ユニットを構成する電子回路図である。
【図５】受信ユニットにあるデコーダーの出力信号図である。
【図１】
2006508433.tif 000003
【図２】
2006508433.tif 000004
【図３】
2006508433.tif 000005
【図４】
2006508433.tif 000006
【図５】
2006508433.tif 000007
【手続補正書】
【提出日】平成17年11月21日(2005.11.21)
【手続補正１】
【補正対象書類名】特許請求の範囲
【補正対象項目名】請求項１
【補正方法】変更
【補正の内容】
【請求項１】
（ｉ）  第１ボディーに位置決めされ、信号変調送信回路（１４）と結合したエンコーダー（１３）を含む送信ユニット（１０）；および、
（ｉｉ）  第２ボディーに位置決めされ、デコーダー（２３）と結合した信号受信復調回路（２４）を含む受信ユニット（２０）；を備え、
エンコーダー（１３）および信号変調送信回路（１４）は、キャリア波に関連する識別コードを生成し及び送信し、識別コードは、受信復調回路（２４）により受信され、さらに第１ボディーが第２ボディーから離れて識別コードを受信しなくなると、トリガー回路（２７）を作動させるデコーダー（２３）により認識され、
ａ）エンコーダー（１３）が、送信ユニット（１０）により送信され、受信ユニット（２０）により受信される、複数の異なる生成周波数と組み合わせ可能な複数の識別コードを生成し、
ｂ）送信ユニット（１０）および受信ユニット（２０）は、ＰＬＬ送信機（１４）の状態を制御する第１制御回路（１２）、および送信期間にＰＬＬレセプター（２４）の状態を制御する第２制御回路（２４）により選択的、かつ位相同期的にオンにされ、さらに、残余の期間中には第１制御回路（１２）および第２制御回路（２２）により動作不能にされ、
ｃ）受信ユニット（２０）は、複数の識別コードが、送信期間中に送信ユニット（１０）により送信される形で、送信期間中に、送信ユニット（１０）に先立ってオンにされ、送信ユニット（１０）の後にオフにされる、
ことを特徴とする電子離間警報システム。
【手続補正２】
【補正対象書類名】特許請求の範囲
【補正対象項目名】請求項３０
【補正方法】変更
【補正の内容】
【請求項３０】
請求項１−２８で規定される電子離間警報システムの送信ユニット（１０）と受信ユニット（２０）との間に位相同期を生成する処理であって：
Ａ）  送信ユニット（１０）と受信ユニット（２０）をオンし且つ互いに近接して配置するステップと；
Ｂ）  受信ユニット（２０）上のボタンを作動させ、所定期間キー（ＣＨ１）を閉じ状態に維持するステップと；
Ｃ）  送信ユニット（１０）からの識別コードを伴った信号を受信し、該信号をデコーダー（２３）へ伝達するよう、受信ユニット（２０）上のＰＬＬ受信機（２４）を有効にするステップと；
を備え、更に、
Ｄ）  デコーダー（２３）の出力で得られた信号を、メモリ回路（２５）を作動させるために送信し、送信ユニット（１０）に同期して作動するよう受信ユニット（２０）を同期させ、送信ユニット（１０）は１秒につき１５ｍｓの間機能し、また、受信ユニット（２０）は１秒につき１０ｍｓの間機能するステップと；
Ｅ）  受信ユニット（２０）上のボタンを解放し、キー（ＣＨ１）を開くステップと、
を備えることを特徴とする処理。
【手続補正３】
【補正対象書類名】特許請求の範囲
【補正対象項目名】請求項３１
【補正方法】変更
【補正の内容】
【請求項３１】
前記ステップＢで、キー（ＣＨ１）の閉じ状態は実質的に３秒に等しい時間維持されることを特徴とする、請求項３０に記載の処理。
【国際調査報告】
2006508433.tif 000008
2006508433.tif 000009
2006508433.tif 000010